(57)【要約】【課題】種々の幅の容器に対応することができ、特に３〜６ｍｍ程度の小さな寸法差のトレーに対応できる搬送カートを提供すること。【解決手段】互いに対峙する第１側フレームと第２側フレーム間の距離を調整自在とする伸縮フレーム２ａを備える搬送カートであって、伸縮フレーム２ａは、中間連結フレーム２１ａと、中間連結フレームと伸縮自在に嵌合する伸縮連結フレーム２３ａと、を有し、中間連結フレームの一方の面には、第１締結孔群２５が形成され、対応する伸縮連結フレームの面には、第２締結孔群２６が形成され、第１締結孔群は、長手方向に２列で、同じ列の孔群は等ピッチ（ｐ１）で、且つ２列の孔群は半ピッチ（ｐ１/２）の寸法差で互い違いであり、第２締結孔群は、同様に２列であり、一方の列の孔のピッチ（ｐ２）と他方の列の孔のピッチ（ｐ２）は同じであり、且つピッチ（ｐ２）は（（ｐ１）×ｎ＋（ｐ１/２））（ｎは整数）である。【選択図】図５
2019083973.tif 000002
【特許請求の範囲】
【請求項１】
第１側フレームと、
該第１側フレームと対峙する第２側フレームと、
該第１側フレームと該第２側フレーム間の距離を調整自在とする伸縮フレームと、を備える搬送カートであって、
該伸縮フレームは、一端が該第１側フレームに固定される第１伸縮連結フレームと、一端が該第２側フレームに固定されると共に、該第１伸縮連結フレームと伸縮自在に嵌合する第２伸縮連結フレームと、を有し、
該第１伸縮連結フレームの上面又は下面には、第１締結孔群が形成され、該第１締結孔群が形成された該第１伸縮連結フレームの上面又は下面と対応する第２伸縮連結フレームの面には、第２締結孔群が形成され、
該第１締結孔群は、長手方向に２列で、同じ列の孔群は等ピッチ（ｐ１）で、且つ一方の列の孔群と、他方の列の孔群とは半ピッチ（ｐ１/２）の寸法差で互い違いであり、
該第２締結孔群は、該第１締結孔群の２列に対応する２列で、一方の列の孔群のピッチ（ｐ２）と他方の列の孔群のピッチ（ｐ２）は同じであり、且つピッチ（ｐ２）は、（（ｐ１）×ｎ＋（ｐ１/２））（ｎは１〜１０のいずれかの整数）であることを特徴とする搬送カート。
【請求項２】
該第１側フレームは、水平方向に延びる第１脚フレームと、該第１脚フレームから起立する第１棚枠フレームとを有し、
該第２側フレームは、該第１脚フレームと対フレームである水平方向に延びる第２脚フレームと、該第２脚フレームから起立する第２棚枠フレームとを有し、
該伸縮フレームは、一端が該第１脚フレームに接続し、他端が該第２脚フレームに接続することを特徴とする請求項１記載の搬送カート。
【請求項３】
該第２伸縮連結フレームは、該第１伸縮連結フレームと伸縮自在に嵌合する中間連結フレームと、一端が該第２側フレームに固定される共に、該中間連結フレームと伸縮自在に嵌合する第３伸縮連結フレームとからなり、
該第１伸縮連結フレームの上面又は下面には、第１締結孔群又は第２締結孔群が形成され、該第１締結孔群又は第２締結孔群が形成された該第１伸縮連結フレームの上面又は下面と対応する該中間連結フレームの面には、第２締結孔群又は第１締結孔群が形成されることを特徴とする請求項１又は２記載の搬送カート。
【請求項４】
該第２伸縮連結フレームは、該第１伸縮連結フレームと伸縮自在に嵌合する中間連結フレームと、一端が該第２側フレームに固定される共に、該中間連結フレームと伸縮自在に嵌合する第３伸縮連結フレームとを有し、
該第３伸縮連結フレームの上面又は下面には、第１締結孔群又は第２締結孔群が形成され、該第１締結孔群又は第２締結孔群が形成された該第３伸縮連結フレームの上面又は下面と対応する該中間連結フレームの面には、第２締結孔群又は第１締結孔群が形成されることを特徴とする請求項１又は２記載の搬送カート。
【請求項５】
該中間連結フレームの中央から起立する第３棚枠フレームを有し、該第３棚枠フレームから該第１棚枠フレーム寄りの該中間連結フレームの上面又は下面には、第１締結孔群又は第２締結孔群が形成され、該第１締結孔群又は第２締結孔群が形成された該中間連結フレームの上面又は下面と対応する第１伸縮連結フレームの面には、第２締結孔群又は第１締結孔群が形成されていることを特徴とする請求項３記載の搬送カート。
【請求項６】
該中間連結フレームの中央から起立する第３棚枠フレームを有し、該第３棚枠フレームから該第２棚枠フレーム寄りの該中間連結フレームの上面又は下面には、第１締結孔群又は第２締結孔群が形成され、該第１締結孔群又は第２締結孔群が形成された該中間連結フレームの上面又は下面と対応する第３伸縮連結フレームの面には、第２締結孔群又は第１締結孔群が形成されていることを特徴とする請求項３記載の搬送カート。
【請求項７】
該第１棚枠フレームの該第２棚枠フレーム側の面には第１レールが、該第２棚枠フレームの該第１棚枠フレーム側の面には第２レールが、それぞれ上下方向に多数形成されており、該対峙する第１レールと第２レール間に容器が載置されることを特徴とする請求項２記載の搬送カート。
【請求項８】
該第１棚枠フレームの該第３棚枠フレーム側の面には第１レールが、該第３棚枠フレームの該第１棚枠フレーム側の面には第３レールが、該第３棚枠フレームの該第２棚枠フレーム側の面には第４レールが、該第２棚枠フレームの該第３棚枠フレーム側の面には、第２レールが、それぞれ上下方向に多数形成されており、該対峙する第１レールと第３レール間、該対峙する第２レールと第３レール間に容器が載置されることを特徴とする請求項５記載の搬送カート。
【請求項９】
該第１締結孔群は、一列の孔数が、１０〜２０個であることを特徴とする請求項１〜８のいずれか１項に記載の搬送カート。
【請求項１０】
該第２締結孔群は、一列の孔数が、２個であることを特徴とする請求項１〜９のいずれか１項に記載の搬送カート。
【請求項１１】
該半ピッチ（ｐ１/２）は、３〜６ｍｍであることを特徴とする請求項１〜１０のいずれか１項に記載の搬送カート。
【請求項１２】
該ｎは、２〜５のいずれかであることを特徴とする請求項１〜１１のいずれか１項に記載の搬送カート。 
【発明の詳細な説明】
【技術分野】
【０００１】
本発明は、例えば、病院などで使用される、トレー等の容器を搬送する搬送カートに関するものである。
【背景技術】
【０００２】
トレー等の容器を搬送する搬送カートは、病院において、患者に食事を提供する配膳や食事済み食器を下げるための下膳のために使用される。すなわち、調理済みの食品が入った食器を、長方形状のトレーに載せ、このトレーを搬送カートに収納し、厨房から病室まで搬送することに使用され、患者の食事が終わると、食事済み食器をトレーに載せ、このトレーを搬送カートに収納し、病室から洗い場まで搬送することに使用される。このような配膳及び下膳は、衛生上の問題及び効率上の観点から、一度に多くのトレーを収納でき、トレーの出し入れが容易なものが要求されている。
【０００３】
特開２０１７-８０３３０号公報には、容器を搬送する容器搬送車であって、 長尺状をなし、水平方向に延在する下部フレームと、 前記下部フレームの両端側に接続され、鉛直方向に延在する一対の支柱フレームと、柱状をなし、前記支柱フレームの下方に前記下部フレームと直交するよう水平に延在し、かつ、その中央部にて前記支柱フレームの下端にそれぞれ連結された一対の脚柱フレームと、前記脚柱フレームの下方に取り付けられた車輪と、前記支柱フレームに、前記脚柱フレームと平行に、かつ、鉛直方向に所定間隔をあけて複数取り付けられ、前記支柱フレーム間に向け水平に挿入された前記容器を支持する複数対のレールと、を備え、前記下部フレームは、前記支柱フレームに接続された一対の下部フレーム端部と、前記下部フレーム端部同士を、前記一対の支柱フレーム間の距離を調整可能に接続する下部フレーム中央部と、を有している容器搬送車が開示されている。
【０００４】
また、特開２０１７-８０３３０号公報の図３には、支柱フレーム７に接続された一対の下部フレーム端部と、下部フレーム端部同士を、一対の支柱フレーム間の距離を調整可能に接続する下部フレーム中央部２４を有する下部フレーム５が開示されている。この容器搬送車によれば、様々な幅の容器に対応することができる。
【先行技術文献】
【特許文献】
【０００５】
【特許文献１】特開２０１７-８０３３０号公報（請求項１、図３）
【発明の開示】
【発明が解決しようとする課題】
【０００６】
しかしながら、トレーの幅寸法の違いは、５ｍｍのような小さな寸法差の違いのものがある。特開２０１７-８０３３０号公報の容器搬送車の場合、下部フレーム中央部２４に形成される孔のピッチは、強度を保つ観点から１０ｍｍは必要である。すなわち、孔の直径は７ｍｍ程度であり、この場合、隣接する孔間の距離は３ｍｍとなる。下部フレーム中央部２４の強度を考慮すると、これ以上の小さなピッチで孔を形成することはできない。この場合、５ｍｍの寸法差のトレーには対応できないという問題がある。
【０００７】
従って、本発明の目的は、種々の幅の容器に対応することができ、特に３〜６ｍｍ程度の小さな寸法差のトレーに対応できる搬送カートを提供することにある。
【課題を解決するための手段】
【０００８】
かかる実情において、伸縮連結フレーム又は中間連結フレームに形成される噛み合わせ孔において、一方の第１締結孔群は、長手方向に２列で、同じ列の孔群は等ピッチ（ｐ１）で、且つ一方の列の孔群と、他方の列の孔群とは半ピッチ（ｐ１/２）の寸法差で互い違いとし、第２締結孔群は、対応する２列で、一方の列の孔群のピッチ（ｐ２）と他方の列の孔群のピッチ（ｐ２）は同じであり、且つピッチ（ｐ２）は、（（ｐ１）×ｎ＋（ｐ１/２））で形成すれば、従来の孔間隔の半分のピッチで、ボルト締めができることを見出し、本発明を完成するに至った。
【０００９】
すなわち、本発明は、第１側フレームと、該第１側フレームと対峙する第２側フレームと、該第１側フレームと該第２側フレーム間の距離を調整自在とする伸縮フレームと、を備える搬送カートであって、
該伸縮フレームは、一端が該第１側フレームに固定される第１伸縮連結フレームと、一端が該第２側フレームに固定されると共に、該第１伸縮連結フレームと伸縮自在に嵌合する第２伸縮連結フレームと、を有し、
該第１伸縮連結フレームの上面又は下面には、第１締結孔群が形成され、該第１締結孔群が形成された該第１伸縮連結フレームの上面又は下面と対応する第２伸縮連結フレームの面には、第２締結孔群が形成され、
該第１締結孔群は、長手方向に２列で、同じ列の孔群は等ピッチ（ｐ１）で、且つ一方の列の孔群と、他方の列の孔群とは半ピッチ（ｐ１/２）の寸法差で互い違いであり、
該第２締結孔群は、該第１締結孔群の２列に対応する２列で、一方の列の孔群のピッチ（ｐ２）と他方の列の孔群のピッチ（ｐ２）は同じであり、且つピッチ（ｐ２）は、（（ｐ１）×ｎ＋（ｐ１/２））（ｎは１〜１０のいずれかの整数）であることを特徴とする搬送カートを提供するものである。
【００１０】
また、本発明は、該第１側フレームは、水平方向に延びる第１脚フレームと、該第１脚フレームから起立する第１棚枠フレームとを有し、
該第２側フレームは、該第１脚フレームと対フレームである水平方向に延びる第２脚フレームと、該第２脚フレームから起立する第２棚枠フレームとを有し、
該伸縮フレームは、一端が該第１脚フレームに接続し、他端が該第２脚フレームに接続することを特徴とする前記搬送カートを提供するものである。
【００１１】
また、本発明は、該第２伸縮連結フレームは、該第１伸縮連結フレームと伸縮自在に嵌合する中間連結フレームと、一端が該第２側フレームに固定される共に、該中間連結フレームと伸縮自在に嵌合する第３伸縮連結フレームとを有し、
該第１伸縮連結フレームの上面又は下面には、第１締結孔群又は第２締結孔群が形成され、該第１締結孔群又は第２締結孔群が形成された該第１伸縮連結フレームの上面又は下面と対応する該中間連結フレームの面には、第２締結孔群又は第１締結孔群が形成されることを特徴とする前記搬送カートを提供するものである。
【００１２】
また、本発明は、該第２伸縮連結フレームは、該第１伸縮連結フレームと伸縮自在に嵌合する中間連結フレームと、一端が該第２側フレームに固定される共に、該中間連結フレームと伸縮自在に嵌合する第３伸縮連結フレームとを有し、
該第３伸縮連結フレームの上面又は下面には、第１締結孔群又は第２締結孔群が形成され、該第１締結孔群又は第２締結孔群が形成された該第３伸縮連結フレームの上面又は下面と対応する該中間連結フレームの面には、第２締結孔群又は第１締結孔群が形成されることを特徴とする前記搬送カートを提供するものである。
【００１３】
また、本発明は、該中間連結フレームの中央から起立する第３棚枠フレームを有し、該第３棚枠フレームから該第１棚枠フレーム寄りの該中間連結フレームの上面又は下面には、第１締結孔群又は第２締結孔群が形成され、該第１締結孔群又は第２締結孔群が形成された該中間連結フレームの上面又は下面と対応する第１伸縮連結フレームの面には、第２締結孔群又は第１締結孔群が形成されていることを特徴とする前記搬送カートを提供するものである。
【００１４】
また、本発明は、該中間連結フレームの中央から起立する第３棚枠フレームを有し、該第３棚枠フレームから該第２棚枠フレーム寄りの該中間連結フレームの上面又は下面には、第１締結孔群又は第２締結孔群が形成され、該第１締結孔群又は第２締結孔群が形成された該中間連結フレームの上面又は下面と対応する第３伸縮連結フレームの面には、第２締結孔群又は第１締結孔群が形成されていることを特徴とする前記搬送カートを提供するものである。
【００１５】
また、本発明は、該第１棚枠フレームの該第２棚枠フレーム側の面には第１レールが、該第２棚枠フレームの該第１棚枠フレーム側の面には第２レールが、それぞれ上下方向に多数形成されており、該対峙する第１レールと第２レール間に容器が載置されることを特徴とする前記搬送カートを提供するものである。
【００１６】
また、本発明は、該第１棚枠フレームの該第３棚枠フレーム側の面には第１レールが、該第３棚枠フレームの該第１棚枠フレーム側の面には第３レールが、該第３棚枠フレームの該第２棚枠フレーム側の面には第４レールが、該第２棚枠フレームの該第３棚枠フレーム側の面には、第２レールが、それぞれ上下方向に多数形成されており、該対峙する第１レールと第３レール間、該対峙する第２レールと第３レール間に容器が載置されることを特徴とする前記搬送カートを提供するものである。
【００１７】
また、本発明は、該第１締結孔群は、一列の孔数が、１０〜２０個であることを特徴とする前記搬送カートを提供するものである。
【００１８】
また、本発明は、該第２締結孔群は、一列の孔数が、２個であることを特徴とする前記搬送カートを提供するものである。
【００１９】
また、本発明は、該半ピッチ（ｐ１/２）は、３〜６ｍｍであることを特徴とする前記搬送カートを提供するものである。
【００２０】
また、本発明は、該ｎは、２〜５のいずれかであることを特徴とする前記搬送カートを提供するものである。
【発明の効果】
【００２１】
本発明によれば、伸縮連結フレーム及び中間連結フレームに形成される噛み合わせ孔である第１締結孔群及び第２締結孔群を特定の孔としたため、従来の孔間隔の半分のピッチで、幅調整ができる。このため、従来対応できなかった、例えば３〜６ｍｍ程度の寸法差のトレーを収納できる。
【図面の簡単な説明】
【００２２】
【図１】本発明の第１の実施の形態における搬送カートの斜視図である。
【図２】図１の搬送カートの分解斜視図である。
【図３】図１の搬送カートの伸縮フレームの拡大斜視図である。
【図４】図１の搬送カートの伸縮フレームの分解拡大斜視図である。
【図５】本発明の伸縮フレームを説明する部分平面図である。
【図６】本発明の伸縮フレームを説明する他の部分平面図である。
【図７】図１の搬送カートの最小長さ位置における伸縮フレームの上から見た部分図である。
【図８】図７の最小長さ位置における搬送カートの底面図である。
【図９】図１の搬送カートの中間長さ位置における伸縮フレームの上から見た部分図である。
【図１０】図９の中間長さ位置における搬送カートの底面図である。
【図１１】図１の搬送カートの最大長さ位置における伸縮フレームの上から見た部分図である。
【図１２】図１１の最大長さ位置における搬送カートの底面図である。
【図１３】本発明の第２の実施の形態における搬送カートの斜視図である。
【図１４】図１３の搬送カートの他の斜視図である。
【図１５】図１３の搬送カートの変形例を示す斜視図である。
【発明を実施するための形態】
【００２３】
本発明において、第１側フレームは、水平方向に延びる第１脚フレームと、第１脚フレームから起立する第１棚枠フレームとを有し、第２側フレームは、第１脚フレームと対フレームである水平方向に延びる第２脚フレームと、該第２脚フレームから起立する第２棚枠フレームとを有する単列多段収納のカートが挙げられる。第１脚フレーム及び第２脚フレームのそれぞれ両端下には、車輪が付設されており、手押し移動を可能としている。この単列多段収納のカートは、第１脚フレームと第２脚フレーム間を接続する伸縮フレームを有するものである。この単列多段収納の搬送カートにおいて、容器は、第１側フレームの内側の側面に形成された第１レールと、第２側フレームの内側の側面に形成された第２レール間に収納される。そして、単列多段収納のカートにおいては、第１伸縮連結フレームと第２伸縮連結フレームの嵌合長さを調整することにより、第１側フレームと第２側フレーム間の距離を調整可能である。
【００２４】
また、本発明において、単列多段収納の搬送カート以外に、第１側フレームと第２側フレーム間に、第３側フレームを有する２列多段収納のカートが挙げられる。２列多段収納のカートの伸縮フレームは、一端が第１側フレームに固定されると共に、中間連結フレームと伸縮自在に嵌合する第１伸縮連結フレームと、一端が第２側フレームに固定されると共に、中間連結フレームと伸縮自在に嵌合する第３伸縮連結フレームと、第１伸縮連結フレーム及び第２伸縮連結フレームと嵌合する中間連結フレームとを有する。また、第３側フレームは、中間連結フレーム上に付設される。この２列多段収納の搬送カートにおいて、容器は、第１側フレームの内側の側面に形成された第１レールと、第３側フレームの該第１側フレーム側の側面に形成された第３レール間、及び第３側フレームの該第２側フレーム側の側面に形成された第４レールと、第２側フレームの内側の側面に形成された第２レール間の２列にそれぞれ収納される。そして、２列多段収納のカートにおいては、第１側フレームと第３側フレーム間の距離を調整可能であり、また、第２側フレームと第３側フレーム間の距離を調整可能である。
【００２５】
本発明において、第１締結孔群は、長手方向に２列で、同じ列の孔群は等ピッチ（ｐ１）で、且つ一方の列の孔群と、他方の列の孔群とは半ピッチ（ｐ１/２）の寸法差で互い違いである。１列の孔数は１０〜２０個、好ましくは１３〜１７個である。これにより、幅の小さなトレーから幅の大きなトレーまで、それぞれ微調整ができる。また、ひとつの列における孔と孔のピッチ（ｐ１）としては、６〜１２ｍｍ程度が好ましい。これにより、半ピッチが３〜６ｍｍとなり、この半ピッチ長さの微調整が可能となる。また、２列における列間の距離（間隔）としては、伸縮フレームの幅の１/３〜１/２程度が好ましい。この程度の間隔であれば、第１伸縮連結フレームと第２伸縮連結フレーム、あるいは第１伸縮連結フレームまたは第２伸縮連結フレームと中間連結フレームを２本のボルトで締める際、安定した固定ができる。また、孔は、円形の貫通孔であり、孔の直径としては、４〜６ｍｍが好ましい。この孔径であれば、使用するボルトの軸を通すことができる。
【００２６】
本発明において、第２締結孔群は、第１締結孔群の２列に対応する２列で、一方の列の孔群のピッチ（ｐ２）と他方の列の孔群のピッチ（ｐ２）は同じであり、且つピッチ（ｐ２）は、（（ｐ１）×ｎ＋（ｐ１/２））（ｎは１〜１０のいずれかの整数）である。第２締結孔群を構成する孔の孔径は、第１締結孔群を構成する孔径と同じでよい。これにより、第１締結孔群の孔と第２締結孔群の孔の中、一致した孔同士にボルト軸が挿通できる。第２締結孔群の一列中の孔数としては、２、４、６の偶数が好ましく、特に好ましくは２つである。第２締結孔群の一列中の孔数が２つの場合、ボルトが入る孔は一つであり、４つの場合、２つである。ｎの好ましい数は２〜５のいずれかの整数である。ｎの数が多過ぎると、調整できるトレーの幅寸法が限定され、使用範囲が狭まる。
【００２７】
本発明において、角材又は中空の角材である第１伸縮連結フレームの上面又は下面に、第１締結孔群又は第２締結孔群が形成される。また、第１締結孔群又は第２締結孔群が形成された第１伸縮連結フレームの上面又は下面と対応する第２伸縮連結フレームの面には、第２締結孔群又は第１締結孔群が形成される。すなわち、第１伸縮連結フレームの一方の面と、この面と当接する第２伸縮連結フレームの面をボルトで固定することで、第１伸縮連結フレームと第２伸縮連結フレームが固定される。
【００２８】
次に、本発明の実施の形態における搬送カートを図１〜図１２を参照して説明する。搬送カート１０は、第１側フレーム１Ａと、第１側フレーム１Ａと対峙する第２側フレーム１Ｂと、第１側フレーム１Ａと第２側フレーム１Ｂ間を接続する伸縮フレーム２ａと、を備える。第１側フレーム１Ａは、水平方向に延びる板状又は角状部材である第１脚フレーム１ａと、第１脚フレーム１ａから起立する第１棚枠フレーム３ａとを有し、第２側フレーム１Ｂは、第１脚フレーム１ａと対フレームである水平方向に延びる板状又は角状部材である第２脚フレーム１ｂと、第２脚フレーム１ｂから起立する第２棚枠フレーム３ｂとを有する。
【００２９】
第１脚フレーム１ａの長手方向の中央には、第１棚枠フレーム３ａの中央の支柱が嵌る凹状の第１接続部３１ａが形成され、第２脚フレーム１ｂの長手方向の中央には、第２棚枠フレーム３ｂの中央の支柱が嵌る凹状の第２接続部３１ｂが形成されている。第１棚枠フレーム３ａ及び第２棚枠フレーム３ｂは、一対の同形状であり、第１棚枠フレーム３ａ（図４中、左側の棚枠フレーム）を説明し、第２棚枠フレーム３ｂの説明は省略する。第１棚枠フレーム３ａは、四角柱状の支柱３１１ａと、支柱３１１ａの上部から下部を接続する上下方向に長い略コ字形状の前後一対の枠体３１２ａとを有し、支柱３１１ａと枠体３１２ａ間には、上下方向に所定のピッチで多数のレール３３ａ(第１レール)が形成されている。また、第２棚枠フレーム３ｂの支柱３１１ｂと枠体３１２ｂ間には、上下方向に所定のピッチで多数のレール３３ｄ(第２レール)が形成されている。レール３３ａには、容器であるトレーの縁部が載置され、レール３３ｄには、他の容器であるトレーの縁部が載置される。
【００３０】
伸縮フレーム２ａの中央部（中間連結フレーム２１ａ）には、第３棚枠フレーム３ｃの中央の支柱３１１ｃが嵌る凹状の第３接続部３１ｃが形成されている。中央の第３側フレーム１Ｃは、四角柱状の支柱３１１ｃと、支柱３１１ｃの上部から下部を接続する上下方向に長い略コ字形状の前後一対の枠体３１２ｃとを有し、支柱３１１ｃと枠体３１２ｃ間であって、第１棚枠フレーム３ａ側には、上下方向に所定のピッチで多数のレール３３ｂ(第３レール)が形成され、第２棚枠フレーム３ｂ側には、上下方向に所定のピッチで多数のレール３３ｃ(第４レール)が形成されている。第１レール３３ａと第３レール３３ｂ間には、容器であるトレーが載置され、第４レール３３ｃと第２レール３３ｄ間には、他の容器であるトレーが載置される。なお、第１棚枠フレーム３ａ、第３棚枠フレーム３ｃ及び第２棚枠フレーム３ｂの支柱３１１ａ〜３１１ｃの上端には、上方の伸縮フレーム２ｂが接続する固定部が形成されている。
【００３１】
搬送カート１０において、第１接続部３１ａ及び第２接続部３１ｂ間に、伸縮フレーム２ａが形成され、第１棚枠フレーム３ａ、第３棚枠フレーム３ｃ及び第２棚枠フレーム３ｂの支柱３１１ａ〜３１１ｃの上端には、上方の伸縮フレーム２ｂが接続されている。伸縮フレーム２ａは、第１締結孔群２５及び第２締結孔群２６が下面に形成され、上方の伸縮フレーム２ｂは、第１締結孔群２５及び第２締結孔群２６が上面に形成されている以外は、同じであり、下方の伸縮フレーム２ａを説明して、伸縮フレーム２ｂの説明は省略する。
【００３２】
伸縮フレーム２ａは、一端が第１脚フレーム１ａに接続され、他端部が中間連結フレーム２１ａと伸縮自在に嵌合する第１伸縮連結フレーム２２ａと、一端が第２脚フレーム１ｂに接続され、他端部が中間連結フレーム２１ａと伸縮自在に嵌合する第３伸縮連結フレーム２３ａと、一端部において第１伸縮連結フレーム２２ａと伸縮自在に嵌合し、他端部において該第３伸縮連結フレーム２３ａと伸縮自在に嵌合する中間連結フレーム２１ａとを有する（図４参照）。本例では、第１伸縮連結フレーム２２ａ及び第３伸縮連結フレーム２３ａは、板状又は角材状であり、中間連結フレーム２１ａは、第１伸縮連結フレーム２２ａ及び第３伸縮連結フレーム２３ａが嵌合し出没自在の中空の板状又は角材状である。第１伸縮連結フレーム２２ａ及び第３伸縮連結フレーム２３ａの長さは、伸縮フレーム２ａが最小長さの場合でも、中間連結フレーム２１ａ内において、突き当たることはない長さとしている。
【００３３】
伸縮フレーム２ａにおいて、第３棚枠フレーム３ｃから第１棚枠フレーム３ａ寄りの中間連結フレーム２１ａの上面又は下面（本例では下面）には、第１締結孔群２５ａが形成され、第１締結孔群２５ａが形成された面と対応する第１伸縮連結フレーム２２ａの面には、第２締結孔群２６ａが形成されている。また、第３棚枠フレーム３ｃから第２棚枠フレーム３ｂ寄りの中間連結フレーム２１ａの上面又は下面（本例では下面）には、第１締結孔群２５ａが形成され、第１締結孔群２５ａが形成された面と対応する第３伸縮連結フレーム２３ａの面には、第２締結孔群２６ａが形成されている。すなわち、搬送カート１０は、第１棚枠フレーム３ａと第３棚枠フレーム３ｃ間の距離及び第２棚枠フレーム３ｂと第３棚枠フレーム３ｃ間の距離をそれぞれ調整可能としている。
【００３４】
図５及び図６は、第１締結孔群２５が、第３棚枠フレーム３ｃから第２棚枠フレーム３ｂ寄りの中間連結フレーム２１ａに形成されたものであり、第１締結孔群２５と第２締結孔群２６の関係を説明する図である。図５及び図６は、説明の都合上、孔間のピッチを少し広く描いたものであり、孔間のピッチの半分の長さを調整する方法を説明する。すなわち、伸縮フレーム２ａにおいて、第１締結孔群２５は、長手方向に２列で、同じ列の孔群は等ピッチ（ｐ１）で、且つ一方の列の孔群と、他方の列の孔群とは半ピッチ（ｐ１/２）の寸法差で互い違いである。第１締結孔群２５の一列の孔数は７個であり、ピッチ（ｐ１）は、孔径の約２倍である。第２締結孔群２６は、第１締結孔群２５の２列に対応する２列で、一列の孔数は２個であり、一方の列の孔群のピッチ（ｐ２）と他方の列の孔群のピッチ（ｐ２）は同じであり、且つピッチ（ｐ２）は、（２（ｐ１）＋（ｐ１/２））である。すなわち、図５において、第２締結孔群２６の上側の２つの孔２６１、２６２の中、右側の孔２６２のみが、第１締結孔群２５の上側の左から３番目の孔２５２と一致している。また、第２締結孔群２６の下側の２つの孔２６３、２６４の中、左側の孔２６３のみが、第１締結孔群２５の下側の一番左の孔２５３と一致している。この２つの一致した孔にはボルトが通され締結される。２つのボルト締結位置は、幅方向と長さ方向に距離があり、斜め位置にあるため、中間連結フレーム２１ａと第３伸縮連結フレーム２３ａの固定が安定する。
【００３５】
次に、ボルトを取り外し、第３伸縮連結フレーム２３ａを図６の符号Ｘ方向に半ピッチ（ｐ１/２）移動させる。これにより、第２締結孔群２６の上側の２つの孔２６１、２６２の中、左側の孔２６１のみが、第１締結孔群２５の上側の一番左の孔２５１と一致する。また、第２締結孔群２６の下側の２つの孔２６３、２６４の中、右側の孔２６４のみが、第１締結孔群２５の下側の左から４番目の孔２５４と一致する。この２つの一致した孔にはボルトが通され締結される。このように、中間連結フレーム２１ａと第３伸縮連結フレーム２３ａは、第１締結孔群２５の孔間ピッチの半分の長さの変更が可能となる。すなわち、第２棚枠フレーム３ｂと第３棚枠フレーム３ｃは、第１締結孔群２５の孔間ピッチの半分の長さ分が広がったことになる。
【００３６】
次に、搬送カート１０において、棚枠フレーム間の距離を最小距離（図７及び図８）、中間距離（図９及び図１０）及び最大距離（図１１及び図１２）とする方法について、図７〜図１２を参照して説明する。図７、９及び１１中、第１締結孔群２５及び第２締結孔群２６は、第３棚枠フレーム３ｃから第２棚枠フレーム３ｂ寄りのフレームに形成されたものを示し、数字は図中の上側の孔を、アルファベットは図中下側の孔を示す。棚枠フレーム間の距離を最小距離（Ｌ１）の場合、第１締結孔群２５の一列の孔数は、１５個であり、第２締結孔群２６の一列の孔数は、２個である。第２締結孔群２６の２個の孔のピッチは、第１締結孔群２５の孔のピッチの４．５倍である。図７中、中間連結フレーム２１ａと第３伸縮連結フレーム２３ａは、伸縮自在に嵌合している。第３伸縮連結フレーム２３ａに形成された第２締結孔群２６の４個の孔の中、中間連結フレーム２１ａに形成された第１締結孔群２５の孔と合致するのは、符合Ａと符合丸５の２個であり、他の２個の孔は合致しない。この合致した２箇所においてボルト締めされる。また、第３棚枠フレーム３ｃから第１棚枠フレーム３ａ寄りのフレームに形成された第１締結孔群２５及び第２締結孔群２６についても同様の幅調整が行われる。これにより、図８に示すように、第１棚枠フレーム３ａと第３棚枠フレーム３ｃ間、第２棚枠フレーム３ｂと第３棚枠フレーム３ｃ間は、それぞれ最小距離（Ｌ１）にセットされる。
【００３７】
次に、ボルトを取り外し、第３棚枠フレーム３ｃに対して、第１棚枠フレーム３ａ及び第２棚枠フレーム３ｂを外側方向へ移動させる。本例では第１締結孔群２５の孔のピッチの５倍分移動させる。第３伸縮連結フレーム２３ａに形成された第２締結孔群２６の４個の孔の中、中間連結フレーム２１ａに形成された第１締結孔群２５の孔と合致するのは、符合Ｆと符合丸１０の２個であり、他の２個の孔は合致しない。この合致した２箇所においてボルト締めされる。また、第３棚枠フレーム３ｃから第１棚枠フレーム３ａ寄りのフレームに形成された第１締結孔群２５及び第２締結孔群２６についても同様の幅調整が行われる。これにより、図１０に示すように、第１棚枠フレーム３ａと第３棚枠フレーム３ｃ間、第２棚枠フレーム３ｂと第３棚枠フレーム３ｃ間は、それぞれ中間距離（Ｌ２）にセットされる。
【００３８】
次に、ボルトを取り外し、第３棚枠フレーム３ｃに対して、第１棚枠フレーム３ａ及び第２棚枠フレーム３ｂを外側方向へ移動させる。本例では第１締結孔群２５の孔のピッチの５倍分移動させる。第３伸縮連結フレーム２３ａに形成された第２締結孔群２６の４個の孔の中、中間連結フレーム２１ａに形成された第１締結孔群２５の孔と合致するのは、符合Ｋと符合丸１５の２個であり、他の２個の孔は合致しない。この合致した２箇所においてボルト締めされる。また、第３棚枠フレーム３ｃから第１棚枠フレーム３ａ寄りのフレームに形成された第１締結孔群２５及び第２締結孔群２６についても同様の幅調整が行われる。これにより、図１２に示すように、第１棚枠フレーム３ａと第３棚枠フレーム３ｃ間、第２棚枠フレーム３ｂと第３棚枠フレーム３ｃ間は、それぞれ最大距離（Ｌ３）にセットされる。
【００３９】
搬送カート１０によれば、第１締結孔群２５の孔のピッチを例えば１０ｍｍとすれば、最小長さから１００ｍｍ分長く採れ、且つその間を半ピッチの５ｍｍ毎に微調整が可能となる。これにより、種々の幅の容器に対応することができる。
【００４０】
次に、本発明の第２の実施の形態例について、図１３及び図１４を参照して説明する。図１３及び図１４において、図１〜図１２と同一構成要素には同一符合を付して、その説明を省略し、異なる点について主に説明する。すなわち、図１３及び図１４の搬送カート１０ａにおいて図１〜図１２の搬送カートと異なる点は、単列多段収納としたものである。すなわち、搬送カート１０ａは、第１側フレーム１Ａと、第１側フレーム１Ａと対峙する第２側フレーム１Ｄと、第１側フレーム１Ａと第２側フレーム１Ｄ間の距離を調整自在とする伸縮フレーム２ｃ、２ｄと、を備え、伸縮フレーム２ｃ、２ｄは、一端が第１側フレーム１Ａに固定される第１伸縮連結フレーム２２ａと、一端が第２側フレーム１Ｄに固定されると共に、第１伸縮連結フレーム２２ａと伸縮自在に嵌合する第２伸縮連結フレーム２４ａと、を有する。伸縮フレーム２ｃは、一端が第１側フレーム１Ａの第１脚フレーム１ａに固定される第１伸縮連結フレーム２２ａと、一端が第２側フレーム１Ｄの第３脚フレーム１ｄに固定されると共に、第１伸縮連結フレーム２２ａと伸縮自在に嵌合する第２伸縮連結フレーム２４ａと、を有し、第２伸縮連結フレーム２４ａの下面には、第１締結孔群２５が形成され、第１締結孔群２５が形成された第２伸縮連結フレーム２４ａの下面と対応する第１伸縮連結フレーム２２ａの面には、第２締結孔群２６が形成されている。また、第３脚フレーム１ｄから起立する第３棚枠フレーム３ｄの内側の面には、上下方向の所定のピッチで多数の第５レールが形成されている。第１レールと第５レール間に、トレーが収納される。搬送カート１０ａは、単列多段収納であり、トレーの収納容積は小さくなるものの、搬送カート１０と同様の作用効果を奏する。
【００４１】
次に、本発明の第３の実施の形態例について、図１５を参照して説明する。図１５において、図１４と同一構成要素には同一符合を付して、その説明を省略し、異なる点について主に説明する。すなわち、図１５の搬送カート１０ｂにおいて図１４の搬送カートと異なる点は、伸縮フレームである。すなわち、搬送カート１０ｂの伸縮フレーム２ｅは、搬送カート１０ａの伸縮フレーム２ｃに対して、２倍の長さ調整が可能なものである。伸縮フレーム２ｅは、一端が第１脚フレーム１ａに接続され、他端部が中間連結フレーム２６ａと伸縮自在に嵌合する第１伸縮連結フレーム２２ａ（図１５では隠れて見えない）と、一端が第３脚フレーム１ｄに接続され、他端部が中間連結フレーム２６ａと伸縮自在に嵌合する第３伸縮連結フレーム２５ａと、一端部において第１伸縮連結フレーム２２ａと伸縮自在に嵌合し、他端部において第３伸縮連結フレーム２５ａと伸縮自在に嵌合する中間連結フレーム２６ａとを有する。また、中間連結フレーム２６ａの中央から第１脚フレーム１ａ側寄りの下面には、第１締結孔群２５が形成され、第１伸縮連結フレーム２２ａの下面で、第１締結孔群２５に対応する面には第２締結孔群２６を形成したものである。更に、中間連結フレーム２６ａの中央から第３脚フレーム１ｄ寄りの下面には、第１締結孔群２５が形成され、第３伸縮連結フレーム２５ａの下面で、第１締結孔群２５に対応する面には第２締結孔群２６を形成したものである。搬送カート１０ｂは、搬送カート１０ａと比べて、２倍の長さ調整が可能となる以外は、同様の作用効果を奏する。
【００４２】
本発明は、上記実施の形態例に限定されず、種々の変形を採ることができる。図１〜図１２の搬送カート１０において、上下一対の伸縮フレームの一方の設置は省略できる。また、設置したとしても、他方の伸縮フレームは、本発明の第１締結孔群及び第２締結孔群がない伸縮フレームであってもよい。また、搬送カート１０の下方の伸縮フレームにおいて、第１締結孔群及び第２締結孔群は、フレームの上面に形成してもよく、搬送カート１０の上方の伸縮フレームにおいて、第１締結孔群及び第２締結孔群は、フレームの下面に形成してもよい。また、脚フレームの形状は、板状に限定されず、パイプ形状であってもよい。
【産業上の利用可能性】
【００４３】
本発明によれば、伸縮連結フレーム及び中間連結フレームに形成される第１締結孔群及び第２締結孔群を特定の孔としたため、従来の孔間隔の半分のピッチで、幅調整ができる。このため、従来対応できなかった、例えば３〜６ｍｍ程度の寸法差のトレーを収納できる。
【符号の説明】
【００４４】
１Ａ〜１Ｄ    側フレーム
１ａ〜１ｃ    脚フレーム
２ａ〜２ｅ    伸縮フレーム
３ａ〜３ｃ    棚枠フレーム
４            車輪
１０〜１０ｂ    搬送カート
２１ａ、２１ｂ    中間連結フレーム
２２ａ、２２ｂ    第１伸縮連結フレーム
２３ａ、２３ｂ    第３伸縮連結フレーム
２５、２５ａ    第１締結孔群
２６、２６ａ    第２締結孔群  
【図１】
2019083973.tif 000003
【図２】
2019083973.tif 000004
【図３】
2019083973.tif 000005
【図４】
2019083973.tif 000006
【図５】
2019083973.tif 000007
【図６】
2019083973.tif 000008
【図７】
2019083973.tif 000009
【図８】
2019083973.tif 000010
【図９】
2019083973.tif 000011
【図１０】
2019083973.tif 000012
【図１１】
2019083973.tif 000013
【図１２】
2019083973.tif 000014
【図１３】
2019083973.tif 000015
【図１４】
2019083973.tif 000016
【図１５】
2019083973.tif 000017